Podtech/llm-jp-corpus-v4-ja_patent huggingface dataset:
(57)【要約】【課題】本発明は一つの器具の中にマッサージ効果、補助器具の機能、フック機能などを併せ持ち、携帯に便利なユニバーサルデザインである。【解決手段】本発明は、マッサージ効果を期待できるほか、缶やペットボトルのキャップなどを簡単に開ける機能をコンパクトに納めた為常に携帯でき、日常生活や旅行先にも役立ち、老年層他女性や多く人の疲労の軽減と喜びに役立つ。【選択図】図１
2004181168.tif 000002
【特許請求の範囲】
【請求項１】
ポリプロピレン製の弾力有るＳ字型形状のマッサージ器具において、
５本の指の第一関節中央に同時に当たるよう握りしめることが出来、それぞれの突起部に指圧の意図を持たせてあるため指圧効果が容易に期待できる、多機能をコンパクトに収めたマッサージ器具。
【請求項２】
多くのツボが集まっていると言われる手のマッサージ効果を得るために、縁起の良い昇り龍のデザインで刺激効果が得られる突起部を付けた、請求項１記載のマッサージ器具。
【請求項３】
弾力性のあるポリプロピレン製であるため、旅行先の限られた狭い空間に対応するようフック機能を付加した、乗り物の中等で手回り品を掛けることができる請求項１乃至４のいずれかに記載のマッサージ器具。
【請求項４】
指先を保護し、小さな力で缶入りの飲み物等も簡単に開ける機能を付加するため昇龍の頭部に角のデザインを作る、請求項１又は２記載のマッサージ器具。
【請求項５】
開けにくいペットボトル等のキャップを昇龍の首部分の細かな刻みを施したリングにはめることで、簡単に開けられる機能を付加した請求項１乃至３のいずれかに記載のマッサージ器具。
【請求項６】
ストラップを付け、持ち歩けるデザイン美を持つ、請求項１乃至５のいずれかに記載のマッサージ器具。
【発明の詳細な説明】
【０００１】
【発明の属する技術分野】本発明は、柔らかな感触と弾力を程良く持つポリプロピレン製で、各種機能を縁起の良い昇り龍のデザインに兼ね備えた事により、効率よく手軽にマッサージ効果を得られると共に、少ない力で缶やペットボトルを容易に開けることが出来、旅先などで重宝するフック機能も付与した多機能生活用品に関するものである。
【０００２】
【従来の技術】近年はパソコン操作や、自然が少ない生活環境、時間に追われがちな生活パターンのせいか、老年、壮年は言うに及ばず、若年層であっても健康志向である。従来より手のツボを刺激することは、血行を良くし、リンパの流れを正常にする効果があるとされ、その結果凝りや疲労の解消、脳等の老化防止等にも良いと言われており、癒しグッツが好まれている。
【０００３】従来マッサージ器具にはゴム、木製、金属の物等有り、弾力性、感触、経済性を考えた場合本発明のポリプロピレンが最適と思われる。
また機能としてはマッサージ機能のみに限られる物が大半であった。
【０００４】
【発明が解決しようとする課題】本発明は適度の弾力性と質感があり指圧の強弱を調整し易く、いつでもどこでもストレス解消が出来るマッサージ機能と、気軽に役立つ機能をコンパクトに昇龍のデザインの中に納めた健康グッツであり、旅にも対応可能にするよう新幹線車種など調査、試行錯誤・試作・考慮を繰り返した結果、完成した物である。
【０００５】
【課題を解決するための手段】前記技術的課題は次の通り本考案により解決できる。
即ち、程良い弾力が有るポリプロピレン製のＳ字状のマッサージ器具であり、手に包み込み弾力を生かすことにより手の指に同時に指圧でき、マッサージ効果を良好にする。また、一つのデザインの中にフック機能、缶、キャップ開けの機能など多機能をコンパクトに納めたことは他に類を見ない画期的なものである。手のツボをマッサージするという簡単で単純な作業であるが、毎日実行するためには多くの機能を併せ持つことで、常時持ち歩くことになり指圧の機会を増やす事となる。マッサージ器具でありながら、力が弱くなりがちな老人や女性の手を守り、手助けとなるキャップや缶開け機能、フック機能も兼ね備えたユニバーサルデザインである。
【０００６】本発明の実施に当たっては、図１に示すように、多くのツボを同時に指圧できる。
【０００７】さらに本発明は新幹線の等の簡易テーブルに３キログラム程度の手回り品を掛けるフック機能を付加した。
【０００８】さらに本発明は指先を保護し、女性や老人なども小さな力でプル缶を容易に開ける事が可能な機能を付加した。龍頭部、Ａ角部分である。また、細かな刻みを入れたリング部分Ｂをペットボトルのキャップ部分に差し込むことにより、キャップを開けやすくする機能を付加した。
【発明の実施の形態】昇龍の外側、突起部分は掌中に無理なく入り、握りしめることで手の複数のツボを同時にマッサージ出来る。また、昇龍の頭部Ａは缶のプルを簡単に持ち上げられる。またプラスティックの弾力性により、少ない力でも簡単にふたを開けることが出来る。また、旅行先などでの狭い空間で便利なフック機能も付加した。この様な機能を一つのデザインの中に納めたことにより、日常生活や旅行先などの時間と空間を有効にする。
【実施例】
【０００９】以下、添付図面図１〜図５に従って実施例を説明する。
図１は、本発明の手のマッサージ例を示したものである。
例えば左手に本発明によるマッサージ器具を▲１▼龍の頭部を左手親指ふくらはぎに、▲２▼龍の背の突起部、▲３▼人差し指、▲４▼中指、▲５▼中指、と掛け▲６▼尾の部に小指を▲７▼右手のツボ押しに、▲８▼龍の腹の突起部を手の平に指圧できる。同様に、右手を指圧する。
【００１０】図２は本発明の機能を表す部位である。図３に示すように昇龍のデザインのなかにフック機能を、図４に示すようプル缶開け機能、図５に示すようペットボトルを開ける機能を納めた。
【発明の効果】上述のように、本考案は同時に多くの手のツボを指圧出来るため日常のストレス解消ばかりでなく旅先等、限られた時間や余暇を有効に使い、どの様な場所においても簡単に充実した時を過ごすことができる。また缶、キャップ開け機能、フック機能など補助機能を付加した為、便利で快適に過ごすことが増大する品である。
【図面の簡単な説明】
【図１】本発明の実施例、マッサージのツボ部分を示す正面である。
【図２】本発明の機能を有する昇龍各部の説明図である。
【図３】フック機能の使用例である。新幹線等の車中でテーブルやバスケットに手荷物を掛ける事ができる。
【図４】プル缶開け機能の使用例である。
【図５】ペットボトルキャップ開け機能の使用例である。
【符号の説明】
Ａ・・・プル缶開けを容易にする角部分
Ｂ・・・ペットボトルのキャップ開けを容易にするリング部分
Ｃ・・・好みの紐やストラップを通す穴
▲１▼・・・指圧に役立つ突起部（手のふくらはぎに当てる）
▲２▼・・・指圧に役立つ突起部（親指に当てる）
▲３▼・・・指圧に役立つ突起部（人差し指に当てる）
▲４▼・・・指圧に役立つ突起部（中指に当てる）
▲５▼・・・指圧に役立つ突起部（薬指に当てる）
▲６▼・・・指圧に役立つ突起部（小指に当てる）
▲７▼・・・指圧に役立つ突起部（反対の手に当てる）
▲８▼・・・指圧に役立つ突起部（手の平に当てる）
【図１】
2004181168.tif 000003
【図２】
2004181168.tif 000004
【図３】
2004181168.tif 000005
【図４】
2004181168.tif 000006
【図５】
2004181168.tif 000007
(57)【要約】      （修正有）【課題】濡れたまま放置されるコップやボトル型容器の内側の乾燥しにくい水分をまっ逆さまに吊下げる事で手間を掛けず乾燥を速めカビの発生を防ぐ。【解決手段】コップ１やボトル型容器の底の部分に厚さ１ｃｍ幅６ｍｍ位のどうなつ形円の持出し部分２を設けその持出した部分に直径の左右両端２ヶ所にくぼみ３をつけ、たたみ込めるハンガー形フック４又はＶ字形フックを取り付けます。フックを立ててまっ逆さまに吊下げる事で水切れが良く乾燥を早めてカビの発生を防ぐ。【選択図】          図１
2004181170.tif 000002
【特許請求の範囲】
【請求項１】
コップや狭い飲み口の哺乳瓶、水筒の様なボトル型容器の底に吊下げる為の折りたたみ式フックを取り付けて容器を逆さまにし内部の水分を乾燥させる逆さま吊下げコップハンガー。
【発明の詳細な説明】
【０００１】
【発明の属する技術分野】
本発明は、プラスチックや化学樹脂、アルミ等破損しにくい原料で作られたコップやボトル型の容器などに関するものである。
【０００２】
【従来の技術】
毎食後、食器はその都度洗浄乾燥させる。しかし、洗面所のコップや水飲みコップなどは使用後濡れたまま上向きか下向きに置き放置される。又は取っ手をフックに掛けて吊下げる方法も底の重みで水滴はコップの底に残る。特許文献には飲み口に器具を取り付けて伏せたコップに傾きをつけたり、取っ手に改良を加える事でコップを下向きに傾ける文献が出されている。
【０００３】
【特許文献】
（特許文献１  特開２００１−３０９８４１号広報）
（特許文献２  実開平１−５６７６２号広報）
（特許文献３  登録実用新案第３０６３１６２号広報）
（特許文献４  特許第２９５５８５２号広報）
（特許文献５  実開昭５７−１８９８１号広報）
（特許文献６  実開平１−１７７９８０号広報）
（特許文献７  実開平２−２０６７号広報）
文献はとっ手の有るコップでの対応に限られている。ボトル型容器の水切りに関しては倒れないように飲み口を下にして立掛ける方法で乾燥させるしかない。
【０００４】
【発明が解決しようとする課題】
水分を拭き取らず放置される洗面所のコップや水飲み用コップ、又は飲み口の狭い哺乳瓶、水筒等のボトル型容器内の水滴は乾燥しにくく、底の周辺に発生したカビには気づきにくい。これら容器の水切りに手間を掛けず、衛生的に自然乾燥を早めカビの発生を防ごうとするものである。
【０００５】
【課題を解決するための手段】
コップや飲み口の狭いボトル型容器の底の部分に厚さ１ｃｍ幅６ｍｍ位のどうなつ形の持出し部分を設け、その部分に直径の左右両端２箇所にくぼみをつけてそこへハンガー形フック又はＶ字形フックを取り付けてまっ逆さまに吊下げる事で容器内の水分の乾燥を早めカビの発生を防ぐ。
【０００６】
【発明の実施の形態】
容器の底に組み込まれたハンガー形のフックやＶ字形のフックは、一般に市販されているいろんな形態のＪ形のフックがあれば何処でも吊下げられる。また、Ｊ形のフックが使えない例えば、外の物干し竿などは紐で輪を作ればそれに吊下げる事ができる。特に意識的に乾かしたいボトル型の哺乳瓶や水筒、ペットボトル型容器の内側の乾燥には時間が掛かり、倒れないよう注意しながら飲み口を下にして立掛けて置くしかないが、底に取り付けられたフックがあれば洗ってそのまま真っ逆さまに吊下げられて便利で気分的にも楽である。フックをたたみ込めば置いて使える。
【０００７】
【実施例】
１  容器底の部分に厚さ１ｃｍ、幅６ｍｍ位の中抜きどうなつ形の持出し部分を設ける。図１ＡＢ、図２ＡＢの（２）参照。
２  持出した厚み部分の内側に直径で結ぶ左右両端にそれぞれフックをを差し込む為のくぼみを設ける。図１Ａ、図２ＡＢの（３）参照。
３  くぼみの部分にハンガー形又はＶ字形のフックをはめ込んだ状態。図１Ａ、図３参照。
４  フックをたたみ込んだ状態。図２ＡＢ参照。
５  フックをたたみ込んだとき持出し部分との接点はカチット止まる様にする。
図２Ａの（７）参照。
【０００８】
【発明の効果】
これまでのようにコップやボトル型容器の置き方に気を遣うことなく、底に取り付けたフックを立てて吊下げるだけの作業なので病人、老人、幼児にも苦にならず衛生的である。
【図面の簡単な説明】
【図１】Ａ  容器の底にどうなつ形持出し部分を設けくぼみにハンガー形フックを取り付けフックを立てた状態の正面図。
Ｂ  フックを立てて吊下げた状態の全体図。
【図２】Ａ  底の部分にハンガー形フックをたたみ込んだ状態の底面図。
Ｂ  底の部分にハンガー形フックをたたみ込んだ状態の全体図
【図３】ボトル型容器の底に取り付けたＶ字形フックを立てて吊下げた全体図。
【符号の説明】
１  コップ本体
２  底の持出し
３  くぼみ
４  ハンガー形フック
５  ボトル型容器本体
６  Ｖ字形フック
７  フックと持出し部分の接点
【図１】
2004181170.tif 000003
【図２】
2004181170.tif 000004
【図３】
2004181170.tif 000005
【手続補正書】
【提出日】平成15年5月13日(2003.5.13)
【手続補正２】
【補正対象書類名】明細書
【補正対象項目名】請求項１
【補正方法】変更
【補正の内容】
【請求項１】
折りたたみ式フックを底の部分に装着することで逆さまに吊り下げるコップ及びボトル型容器
【手続補正３】
【補正対象書類名】明細書
【補正対象項目名】０００３
【補正方法】変更
【補正の内容】
【０００３】（特許文献１  特開２００１−３０９８４１号広報）
（特許文献２  実開平１−５６７６２号広報）
（特許文献３  登録実用新案第３０６３１６２号広報）
（特許文献４  特許第２９５５８５２号広報）
（特許文献５  実開昭５９−１８９８１号広報）
（特許文献６  実開平１−１７７９８０号広報）
（特許文献７  実開平２−２０６７号広報）
文献はとっ手の有るコップでの対応に限られている。ボトル型容器の水切りに関しては倒れないように飲み口を下にして立掛ける方法で乾燥させるしかない。
(57)【要約】【課題】本発明は、衛生シート供給・固定機能付診療用足載せ台を提供する。【解決手段】足載せ台本体１へあらかじめロール状に巻き付け成形された衛生シート２を、シート軸受２’を介して取り付けた状態で、当初シート２の先端をシート固定機構３及び３’のシート押さえ部を開いたすき間を通し、足載せ台の上にシート５を載せる。次に一定間隔で設けられた分離筋目４は、シート固定機構３より内側に位置するように配置し、シート固定機構３及び３’のシート押さえ部を閉じ、シートを固定する。これにより、シート５の上に足を載せてもシートの位置ズレは生じなくなる。使用後のシート５は、シート固定機構３及び３’のシート押さえ部を開き、矢印の方向へ引き出し、分離筋目４がシート固定機構３’を通過したところで、シート押さえ部を閉じることで、シート固定機構３’の角部を使って、分離筋目４に沿って切断することができる。【選択図】    図１
2004181167.tif 000002
【特許請求の範囲】
【請求項１】
特に医療用途を目的として、医師が患者の診療を行う際に患者が足を載せる足台において、水虫等足の裏に起因した皮膚疾患の感染を防ぐために、患者毎に使い捨ての紙・ビニール等を複合して作られた衛生シートを敷いて使用することが、診療現場において行われているが、この足載せ台上に衛生シートを容易に供給することが可能な機構を具備したことを特徴とする診療用足載せ台。
【請求項２】
診療時等で衛生シートを敷いた足載せ台に患者が足を載せた時、患者が足を動かすとシートが容易に位置ズレを起こしてしまうが、この位置ズレを防止するシート固定機構を具備したことを特徴とする請求項１記載の診療用足載せ台。
【請求項３】
この衛生シートが一連の状態で供給され、分離筋目等で分離して各患者毎に使用されるような場合、この分離を容易に行うための機構を具備したことを特徴とする請求項１、２記載の診療用足載せ台。
【発明の詳細な説明】
【０００１】
【発明の属する技術分野】
特に医療用途を目的として、医師が患者の診療を行う際に患者が足を載せる足台に関する。
【０００２】
【従来の技術】
医師が患者の診療を行う際に患者が足を載せる足台において、水虫等足の裏に起因した皮膚疾患の感染を防ぐために、患者毎に使い捨ての衛生シートを敷いて使用することが、診療現場において行われているが、従来、専用の足載せ台があるわけでなく、一般的な踏み台等を利用して、その上に使い捨ての衛生シートを１枚づつ敷いて診療等を行う方法が用いられている。
【０００３】
【発明が解決しようとする課題】
衛生シートは、製造上のコスト削減のために、一連のものを分離筋目等で分離して使用されるタイプのものが多く１枚づつ分離しながら患者毎にシートを交換すると、とても手間がかかるという問題がある。
【０００４】
また、一般的な踏み台等を利用して、その上に使い捨ての衛生シートを１枚づつ敷いて診療等を行う場合、患者が足を載せた状態で足を動かすとシートが容易に位置ズレを起こしてしまう問題がある。
【０００５】
【課題を解決するための手段】
本発明では、このような問題を解決するために、医療用途を目的とした診療専用の足載せ台を供給する。本発明の診療専用足載せ台では、患者毎に使い捨てで使用する衛生シートを容易に供給することが可能な機構を診療専用足載せ台に具備している。
【０００６】
また、患者が足載せ台に足を載せた状態で足を動かしても、衛生シートの位置ズレが発生しないためのシート固定機構を具備している。
【０００７】
また、この衛生シートが一連の状態で供給され、分離筋目等で分離して各患者毎に使用されるような場合、この分離を容易に行うための機構を具備している。
【０００８】
【発明実施の形態】
足載せ台本体１へあらかじめロール状に巻き付け成形された衛生シート２を、シート軸受２’を介して取り付けた状態で、当初シート２の先端をシート固定機構３及び３’のシート押さえ部を開いたすき間を通し、足載せ台の上にシート５を載せる。次に一定間隔で設けられた分離筋目４は、シート固定機構３より内側に位置するように配置し、シート固定機構３及び３’のシート押さえ部を閉じ、シートを固定する。これにより、シート５の上に足を載せてもシートの位置ズレは生じなくなる。使用後のシート５は、シート固定機構３及び３’のシート押さえ部を開き、矢印の方向へ引き出し、分離筋目４がシート固定機構３’を通過したところで、シート押さえ部を閉じることで、シート固定機構３’の角部を使って、分離筋目４に沿って切断することができる。
【０００９】
【発明実施の効果】
以上説明したように、本発明によって、医師が患者の診療を行う際に患者が足を載せる足台において、この足載せ台上に衛生シートを容易に供給することが可能となり、また、診療中に足載せ台で患者が足を動かしても、衛生シートが簡単に位置ズレしないことが可能となる。
【図面の簡単な説明】
【図１】本発明の衛生シート供給・固定機能付診療用足載せ台の概念図
【符号の説明】
１・・・・・足載せ台本体
２・・・・・（ロール状の）衛生シート
２’・・・・・シート軸受
３、３’・・・シート固定機構
４・・・・・分離筋目
５・・・・・（引き出された）衛星シート
【図１】
2004181167.tif 000003
(57)【要約】【課題】この発明は、伸縮自在のベルトの両側に輪状の握り部を設け、ベルトの中央に収納部に開閉部を設け、収納部に電源部とスイッチ部と振動器具を内蔵した振動器具を内蔵したベルトを提供する。【解決手段】伸縮自在のベルトの両側に握り部を設け、ベルトの中央部に収納部を設け、収納部に開閉部を設け、収納部に電源部とスイッチ部と振動器具を内蔵したことを特徴とする。【選択図】  図１
2004181169.tif 000002
【特許請求の範囲】
【請求項１】
伸縮自在のベルト（１）の両側に握り部（２）を設け、ベルト（１）の中央部に収納部（３）を設け、収納部（３）に開閉部（４）を設け、収納部（３）に電源部（５）とスイッチ部（６）と振動器具（７）を内蔵したことを特徴とした振動器具を内蔵したベルト。
【発明の詳細な説明】
【０００１】
【発明の属する技術分野】
この発明は、伸縮自在のベルトの両側に輪状の握り部を設け、ベルトの中央に収納部に開閉部を設け、収納部に電源部とスイッチ部と振動器具を内蔵した振動器具を内蔵したベルトに関するものである。
【０００２】
【従来の技術】
従来、携帯ができて、伸縮自在のベルトに振動器具を収納したもマッサージ具はなかった。
従来のマッサージ具は、要部の疲労をとるため、複数の機能がついたものが多かった。
たとえば、要部を叩いたり振動のバイブレーションがついた電動式のものがあった。
こういったマッサージ具は、肩、腕、背中、腰、もも、ふくらはぎ、足等のいたるところを刺激する器具が一般的で、疲労した要部に刺激を与えて苦痛症状を和らげるため、多くの家庭で使われている。
電源部は、交流電源を使わず振動を与えるバイブレーションなどもある。
【０００３】
【発明が解決しようとする課題】
これは、つぎのような欠点があった。
マッサージ具は、片手で握って使うものが多く、握手に疲労を感じていた。
振動した状態で、マッサージ具を片手で操作するため、所定の場所で使うのは大変だった。
バイブレーションがついた電動式のもは、全体の重量が重いため、片手で持つとき、女性や高齢者の人には負担になっていた。
交流電源で使用するものは、使用場所がコンセントのそばに限定されていた。また、コードが邪魔になっていた。
物品の形状が大きくなるため特別に収納場所が必要だった。
本発明は以上のような欠点をなくしたり、その要望に応えるために考えられたものである。
【０００４】
【課題を解決するための手段】
伸縮自在のベルト（１）の両側に握り部（２）を設ける。
ベルト（１）の中央部に収納部（３）を設ける。
収納部（３）に開閉部（４）を設ける。
収納部（３）に電源部（５）とスイッチ部（６）と振動器具（７）を内蔵する。
本発明は、以上のような構成よりなる振動器具を内蔵したベルトである。
【０００５】
【発明の実施の形態】
以下、本発明の実施の形態について説明する。
伸縮自在のベルト（１）の両側に、握りやすいように輪状の握り部（２）を設ける。
ベルト（１）の中央部に収納部（３）を設ける。
収納部（３）に開閉部（４）を設ける。
収納部（３）に電源部（５）とスイッチ部（６）と振動器具（７）を内蔵する。
電源部（５）は、乾電池でも充電式でもよい。
スイッチ部（６）の電源のＯＮ（入れる）、ＯＦＦ（切る）使用者が手動で操作をする。
本発明は以上のような構造でこれを使用するときは、開閉部（４）を開け、スイッチ部（６）をＯＮにして使うこともできるが開閉部の上からもスイッチを入れることもできる。
たとえば、首の部分に振動部を当てて、両手でベルトを握り、強弱の調整をしながら、肩凝りの解消に使う。
本発明は、全体の形状を小杉にしているので、携帯に便利である。
だから、たとえば、仕事の休憩中や通勤の移動中の電車の中などで椅子などに座った状態のままで、いつでも手で握って使える。
その結果、健康増進につながる。
【０００６】
【発明の効果】
マッサージ具は、両手で握って使えるので疲労も少ない。
マッサージ具を両手で操作するため、所定の場所で使うことができる。
両手で持って使えるので、女性や高齢者の人に、器具の重量の負担にならない。握り部の中に、片方の握り部を差し込み、両手を離して使用する事も出来る。
ベルトが伸縮することで、適度の筋肉の運動と刺激がえられる。
過度の筋肉刺激を避けられる。
こりや痛みのところに結んで使えば、膝、腰、足裏等のマッサージ具が、この発明品一つでできる。
伸縮力と圧縮力が振動圧に変化を生じさせることができる。
この発明品を使用すると、血行の促進、神経痛、筋肉痛、緩解ができて、コリの解消、疲労回復につながる。
軽い運動と振動が血行の促進と筋肉をほぐすことができる。
振動の強弱を調整すると、快適な運動ができる。
【図面の簡単な説明】
【図１】本発明の正面図である。
【図２】本発明の回路図である。
【図３】本発明の使用状態を示した説明図である。
【図４】本発明の使用状態を示した説明図である。
【符号の説明】
１  ベルト
２  握り部
３  収納部
４  開閉部
５  電源部
６  スイッチ部
７  振動器具
【図１】
2004181169.tif 000003
【図２】
2004181169.tif 000004
【図３】
2004181169.tif 000005
【図４】
2004181169.tif 000006
(57)【要約】【課題】男性の更年期障害である前立腺肥大による排尿困難を改善する事を提供する。【解決手段】先端部（１）に丸みを持たせ、かつ先端を覆うように柔らかな素材（２）で膨らみを持たせた棒（３）に湾曲を持たせ、中間に深く入り込まないように凸部（４）を設け、握り部分（５）を設けた前立腺マッサージ器。【選択図】  図１
2004181160.tif 000002
【特許請求の範囲】
【請求項１】
先端部（１）に丸みを持たせ、かつ先端を覆うように柔らかな素材（２）で膨らみを持たせた棒（３）に湾曲を持たせ、中間に深く入り込まないように凸部（４）を設け、握り部分（５）を設けた前立腺マッサージ器。
【発明の詳細な説明】
【０００１】
【発明の属する技術分野】
この発明は中年以降の男性に多く見られる前立腺肥大による機能障害、特に排尿困難を改善する事を目的とした前立腺マッサージ器に関する物である。
【０００２】
【従来の技術】
従来、前立腺の機能障害を回復するのに医療では薬を服用するか手術による方法が行われている。
漢方では湯薬やツボに鍼灸をする方法もあるが、肛門部より手指を挿入し前立腺を直にマッサージする方法もある。
この発明は前立腺マッサージ器に関する物である。
【０００３】
【発明が解決しようとする課題】
これの方法は次のような欠点があった。
肛門に手指を挿入するのは、大便が付着したりして非衛生的である。
姿勢に無理があり、やりにくい。
肛門に手指を入れると言う事に、抵抗感がある。
本発明は、以上の欠点を解決するためになされた物である。
【０００４】
【課題を解決するための手段】
先端部（１）に丸みを持たせ、かつ先端を覆うように柔らかな素材でふくらみを持たせた棒（３）に湾曲を持たせ、中間に深く入り込まないように凸部（４）を設け、握り部分（５）を設ける。
本発明は、以上の構成よりなる前立腺マッサージ器である。
【０００５】
【発明の実施の形態】
以下、本発明の実施の形態について説明する。
（イ）丸みを持たせた先端部（１）を柔らかな素材（２）で覆う。
（ロ）先端部（１）に湾曲した支持棒（３）を取り付け、その反対側に握り部分（５）を取り付ける。
（ハ）（３）の中間に先端部が深く入り込まないように凸部（４）を設ける。
（ニ）凸部（４）はサック止めも兼ねる。
本発明は、以上の構成よりなっている。
前立腺は肛門より、手指（中指）を中関節ぐらい挿入した時、上前部に触れる事が出来る。
本発明を使用する時は、挿入に際して、本器先端部（１）にサック（６）をかぶせストッパー（４）でしかりと固定する。
潤滑剤を本器先端部（１）にかぶせたサック及び肛門部に塗る。
マッサージする時の体位は、仰臥位又はまえかがみの座位等が良い。
静かに肛門より先端部を挿入、前立腺をマッサージする。
取り出しに際しても静かに取り出してサックを外す。
【発明の効果】
本発明を使用する事によって、肥大化した前立腺の血液循環が改善され、回復しスムーズに排尿する事が出来る。
【図面の簡単な説明】
【図１】本発明の正面図である。
【符号の説明】
１  丸みを持たせた先端部
２  柔らかな部分
３  湾曲した支持棒
４  深く進入防止凸部（サック止めも兼ねる）
５  にぎり部分
６  コンドーム様サック
【図１】
2004181160.tif 000003
(57)【要約】【目的】遊戯台の前面装飾用の樹脂部品として汚れに強く安価な塗布着色による樹脂部品を提供する事。【解決手段】透明性樹脂部材により成形した樹脂部品の裏面に着色材を塗着して前表面が損傷しても着色部が汚れない部品を提供する。【選択図】    図１
2004181156.tif 000002
【特許請求の範囲】
【請求項１】
透明性樹脂部材（１）で成形した樹脂部品の裏面側に着色材（２）を塗着してなる遊戯台の装飾用樹脂部品。
【請求項２】
請求項１における着色材（２）に微細粒状着色材（３）を使用してなる遊戯台の装飾用樹脂部品。
【発明の詳細な説明】
【０００１】
【発明の属する技術分野】
本発明は各種遊戯台の装飾用樹脂部品の着色方法に関するものである。
【０００２】
【従来の技術】
装飾着色には一般には塗装着色や素材着色が採用されているが、遊戯台に於いては専ら着色樹脂部材を使用した着色部品による構成デザイン装飾か、着色フイルムを貼り付けた装飾着色が採用されている。
（実施例として、特公開平１０−９９４９１、特公開平１０−１６５５６８、特公開２００１−３２１４９１、参照）
【０００３】
【発明が解決しようとする課題】
遊戯台のデザイン装飾を着色素材樹脂部品による構成配色による場合は配色毎に部品を用意しなければならないので部品点数が多くなると云う問題があり又着色樹脂は色合によっては裏面よりの光透過性が悪く電飾用には不向きなものもある。一方着色フイルムを貼り付けて製作する装飾部品は形状が平板でなければならないと云う制約がある。  一方塗装着色には素材着色にはない優れた発色性のものがあるが、にもかかわらず塗装着色がほとんど遊戯台に使用されないのは遊戯台の性格上装飾用部品の前表面は人や器物との接触により傷つき易く従って着色部が汚れやすいと云う決定的な問題の他に成形後更に塗装加工をすると云うコスト的な問題もあって、遊戯台の装飾用部品には塗装着色はあまり採用されていない。
【０００４】
【課題を解決するための手段】
本発明は前述の樹脂に塗装した装飾部品では前面塗装面が傷つき汚れてしまうと云う問題点を着色を裏面から行なうことにより解決し、着色加工行程だけ余計にコストがかかるという問題は素材着色部品による構成配色よりも部品点数を減ずる事により解決する。
【０００５】
【発明実施の形態】
本発明の実施の形態を実施例にもとづき図面を参照にして説明する。
図１は遊戯台の前面扉カバー用の部品を透明性樹脂部材１にて成型し、中央の遊戯面正面部を透明レンズ部４とする為にそのレンズ部該当部の裏面にマスキングシート５を貼り付けておいて裏面の吹付方向矢印６の方向よりデザイン配色の着色材２を吹き付け塗着して後、マスキングシート５を剥がすことにより、中央の透明レンズ部とそのまわりのデザイン配色部とが一体になった前面扉カバーを製造した実施例である。
図２は同じく透明性樹脂部材１の裏面に、第一配色部７に第一配色の着色材２を転写した後第二配色の着色材８を塗布した版面を第二配色位置１０に圧着転写する事によって複数のデザイン配色を同一部品に着色した実施例である。
図３は塗装着色材２に仕上がり時に微粒状になる着色材を使用した実施例である。
【０００６】
【発明実施の効果】
前述の各実施例のように透明性樹脂部材の裏面に着色材を塗着した装飾用部品であれば前表面が傷ついても着色デザイン面が汚れる事はなく遊戯台の装飾部品として使用することが出来、且つ図１の実施例のようにレンズ部と装飾部の二つの機能を持つ部品を一体で製造したり、図２のように複数のデザイン配色を一部品に行なう事が出来るので着色素材樹脂部品による構成配色よりも部品点数を減らす事ができ従ってコストを下げることが出来る。図３のように着色材に仕上がり時に微粒状になる着色材を使用した場合には粒子間に隙間があるので透過光矢印１１の如く光の透過性が良く効果的な電飾装飾用樹脂部品を提供することが出来る。
【０００７】
以上のように本発明によれば、遊戯台の装飾用部品として、デザインの配色性に優れ、より安価な着色樹脂部品を提供することが出来る。
【図面の簡単な説明】
【図１】本発明の実施例の見取り図である。
【図２】本発明の他の実施例の見取り図である。
【図３】本発明の他の実施例の部分断面図である。
【符号の説明】
１、  透明性樹脂部材
２、  着色材
３、  微粒状着色材
４、  レンズ部
５、  マスキングシート
６、  吹付方向矢印
７、  第一配色部
８、  第二配色の着色材
９、  版台
１０、  第二配色位置
１１、  透過光矢印
【図１】
2004181156.tif 000003
【図２】
2004181156.tif 000004
【図３】
2004181156.tif 000005
(57)【要約】【目的】遊戯台の前面扉の開閉作業時の扉の作動範囲の手前側への出っ張りを縮小出来る開閉装置を提供して作業性の向上をはかる。【構成】前面扉枠１にガイドローラー３と移動側ヒンジピン４を取り付けた支持部を取り付け、内枠９側にそのガイドローラーが係合するガイドレール８と固定側ヒンジピン５を保持する保持部７を固着し、二つのヒンジピンを連結するリンク６を取り付けて構成する遊戯台の前面扉開閉装置。【選択図】    図１
2004181157.tif 000002
【特許請求の範囲】
【請求項１】
下方にガイドローラ（３）、上方に移動側ヒンジピン（４）を取り付けた支持部を備えた前面扉枠（１）と、固定側ヒンジピン（５）を保持する内枠（９）に設けた保持部（７）と、その二つのヒンジピンを連結するリンク部（６）と、ガイドローラー（３）に係合するガイドレール（８）とで構成する遊戯台の前面扉開閉装置。
【発明の詳細な説明】
【０００１】
【発明の属する技術分野】
本発明は遊戯台の扉を開閉する装置に関するものである。
【０００２】
【従来の技術】
従来遊戯台の扉部の開閉は殆どが横開き蝶番のものであり、上開き構造の場合も単一回転軸蝶番構造のものが一般に使用されている。
（従来の技術例として、特開平１１−７６５５３、  特開平９−４７５５６、特開２００１−３１４６１９、  特開２００１−３２１５２７、他、図３、図４参照。）
【０００３】
【発明が解決しようとする課題】
上記のような従来の開き扉構造の遊戯台の前面扉を遊戯客が使用中に点検作業の為開こうとすると扉の開き動作範囲が大きく手前側に出っ張る為、遊戯客や点検者はそれを避けねばならずその為の空間が必要になる、遊戯場の空間を出来るだけ有効に使用するためにはその動作範囲を出来るだけ小さくすることは望ましい事である。
【０００４】
【課題を解決するための手段】
本発明はその前面扉の開閉動作を左右方向でなく上下方向にし、且つ前面扉枠に単一回転軸蝶番を直接取り付けるのではなくローラーガイド機構を組み込んだリンク構造を採用して扉の開閉動作を動作範囲の広い一軸回転動作からスライド動作と回転動作を組合せた動きに変えることによりその作動範囲の縮小を計る。
【０００５】
【発明実施の形態】
本発明の実施の形態を実施例にもとづき図面を参照にして説明する。
図１は、  前面扉カバー１１を取り付けた前面扉枠１には、下方にガイドローラー３を取り付け上方に移動側ヒンジピン４を取り付けた支持部２を固着し、内枠９には固定側ヒンジピン５を保持する保持部７を固着し、それらに移動側ヒンジピン４と固定側ヒンジピン５の両軸を芯に回動するリンク６を連結し、そしてガイドローラー３が係合して移動するガイド溝１２を備えたガイドレール８を内枠９に取り付け、更に固定側ヒンジピン５を芯にリンク６と内枠９間に反発力が作用するつる巻ぎバネ１０を取り付けて、  遊戯台の前面扉開閉装置を構成したものである。
図２は、上記図１が本発明の前面扉開閉装置によって同扉が開いた状態を示したものであるのに対して、同扉が閉じた状態を、および中間位置の状態を仮想線で、示したものである。
同図２に於いて、本発明による前面扉開閉装置の開閉動作の様子を説明すると、  前面扉カバー１１を手前に持ち上げぎみに引くと固定側ヒンジピン５に支持されたリンク６の移動側ヒンジピン４は中心軌跡線１７にそって移動し、支持軸２の下方に取り付けたガイドローラー３はガイドレール８のガイド溝１２にそって上方に移動するので動作の中間では前面扉は中間位置仮想線図１６で示すような姿勢になり、開き切った状態では図１に示すような姿勢になる、尚その際つる巻きバネ１０はリンク６に浮き上がり方向の回転力を与え扉の開き動作を助けると共に上方に開いた扉が自重で下がるのを防ぐ働きをする。
【０００６】
【発明実施の効果】
前述のように本発明による開閉機構を採用した前面扉を開閉する際はその作業による所用空間は図２の移動端輪郭点線１５の範囲内に納まり。  従来の技術例として示した図３、図４のように単一回転軸蝶番を使用した前面扉の場合、図３の縦開きの場合は扉の移動端輪郭矢印１８のように、図４の横開きの場合は移動端輪郭矢印１９のように動作範囲の手前側への出っ張りが大きく人型図１３、１４で示すようにその前に位置する人はその干渉範囲を避けなければならないが、本発明による前面扉開閉装置を採用すれば図２の人型図位置に示すように人がかなり接近した位置で扉の開閉動作を行なう事が出来る。
【０００７】
以上のように本発明によれば、遊戯台の点検作業の際の作業用所用空間を少なくし作業性の向上をはかる事ができる。
【図面の簡単な説明】
【図１】本発明の実施例の側断面図である。
【図２】本発明の実施例の他の側断面図である。
【図３】従来の技術例の側断面図である。
【図４】従来の他の技術例の側断面図である。
【符号の説明】
１、    前面扉枠
２、    支持部
３、    ガイドローラー
４、    移動側ヒンジピン
５、    固定側ヒンジピン
６、    リンク
７、    保持部
８、    ガイドレール
９、    内枠
９、    内枠
１０、    つる巻きバネ
１１、    前面扉カバー
１２、    ガイド溝
１３、１４、  人型図
１５、    移動端輪郭点線
１６、    中間位置仮想線図
１７、    中心軌跡線
１８、１９、  移動端輪郭矢印
２０、    外枠
【図１】
2004181157.tif 000003
【図２】
2004181157.tif 000004
【図３】
2004181157.tif 000005
【図４】
2004181157.tif 000006
(57)【要約】【課題】御本尊を自在に持ち運べるホルダーを提供すること。【解決手段】基板表面の上部に御本尊上端部を押える止め板を固着し、同基板の下部に御本尊の下端部を支持する可動板を設け、同可動板をネジ、スプリング等で上方向に付勢するように構成したことを特徴とする。【選択図】        図２
2004181185.tif 000002
【特許請求の範囲】
【請求項１】
基板表面の上部に御本尊上端部を押える止め板を固着し、同基板の下部に御本尊の下端部を支持する可動板を設け、同可動板をネジ、スプリング等で上方向に付勢するように構成したことを特徴とする仏事用御本尊のホルダー。
【請求項２】
請求項１の基板の裏面に永久磁石板を固定したことを特徴とする請求項１記載の仏事用御本尊のホルダー。
【発明の詳細な説明】
【０００１】
【発明の属する技術分野】
本発明は、仏事用御本尊を失礼にあたることなく保護し、自在に持ち運べることができるホルダーに関するものである。
【０００２】
【従来の技術】
従来から仏事を行うときに二つ折りした仏事用御本尊を簡易仏壇や携帯用容器に入れて拝するようにしていたが、二つ折りした仏事用御本尊をその儘拝するものであったため、仏事を行う毎に仏事用御本尊を直接手で持って簡易仏壇や携帯用容器に入れる必要上仏事用御本尊に手垢が付いて汚れたり、傷ついたりして失礼にあたるような問題点があった。
【０００３】
【発明が解決しようとする課題】
本発明は、上記問題点を解決し、御本尊を自在に持ち運べるホルダーを提供することを目的とするものである。
【０００４】
【課題を解決するための手段】
本発明に係るホルダーは、基板表面の上部に御本尊上端部を押える止め板を固着し、同基板の下部に御本尊の下端部を支持する可動板を設け、同可動板をネジ、スプリング等で上方向に付勢するように構成したことを特徴とするものである。
【０００５】
【発明の作用】
御本尊の上下端が止め板と可動板との間で挟持され、御本尊が二つ折りの状態でも折り畳んだ状態でも確実にホルダーに保持される。
【０００６】
【発明の実施の態様】
本発明の第１の実施の態様を図面について具体的に説明する。
【０００７】
図１は、本発明に係るホルダーの前傾斜視図、図２は、同ホルダーの一部省略断面図、図３は、御本尊を装着したホルダーを携帯容器に収める場合の斜視図、図４は、御本尊を装着したホルダーを仏壇に収める場合の斜視図、図５は、ホルダーの他の実施例を表わす図２と同じ部分の一部省略断面図である。
【０００８】
１は、本発明のホルダーを構成する基板で、上端付近に御本尊Ａの上端を押える止め板２が固着されている。
【０００９】
３は、同基板１の下端付近に取り付けられた、後述する可動板を保持するための保持部材である。
【００１０】
４は、前記御本尊Ａの下端から上方に向かって押し上げる可動板で、保持部材３の底板３１に形成された段付きの孔３２から有頭のピン５を差し入れてコイルスプリング６を通して可動板４の一部にピン５の先端を止めることにより抜け止めがなされると共に、可動板４はコイルスプリング６によって上方に付勢されるようになっている。このコイルスプリング６は安定のために数カ所に設けることが好ましい。
【００１１】
図中、７は、基板１の背面に形成された凹部に嵌め込まれた永久磁石板で携帯容器Ｂや仏壇Ｃに設けられた鉄板にホルダーごと磁着させることができるようになっている。
【００１２】
次に、本発明の上記構成に従い図示する実施例について本発明の具体的用法並びに作用を説明する。
【００１３】
図１の状態において、御本尊Ａを本発明のホルダーに装着したい場合、一旦可動板４をコイルスプリング６の復元力に抗して押し下げ、御本尊Ａの下端を可動板４に当てた儘御本尊Ａの上端を止め板２の下面に当たるところ迄持っていって手を離すと御本尊Ａは、コイルスプリング６に付勢される可動板４に押し上げられ、上下端が止め板２と可動板４との間で挟持され、ホルダーと一体化する。
【００１４】
この状態で携帯容器Ｂの内部に張ってある鉄板に基板１の背面に形成された凹部に嵌め込まれた永久磁石板７で磁着させると、ホルダーは携帯容器Ｂ内に安定した状態で納まる。仏壇Ｃに収める場合も同じである。
【００１５】
図５は、ホルダーの他の実施例を表わす図２と同じ部分の一部省略断面図で、可動板４を上方に付勢する手段としてネジの螺回によって行うものであり、保持部材３の底板３１に螺孔３３を形成し、この螺孔３３にネジ５１を螺回させて可動板４を押し上げ、御本尊Ａの上下端を止め板２と可動板４との間で挟持させて保持するもので、作用、効果は実施例１の場合と全く同じである。
【００１６】
【発明の効果】
以上述べた如く、本発明の仏事用御本尊のホルダーによれば、基板表面の上部に御本尊上端部を押える止め板を固着し、同基板の下部に御本尊の下端部を支持する可動板を設け、同可動板をネジ、スプリング等で上方向に付勢するように構成したもので、御本尊の上下端が止め板と可動板との間で挟持され、御本尊が二つ折りの状態でも折り畳んだ状態でも確実にホルダーに保持されものであるから、従来のように仏事を行う毎に仏事用御本尊を直接手で持って手垢が付いて汚れたり、傷ついたりして失礼にあたるような問題点が解消され、基板の裏面に永久磁石板を取り付けることによって磁着できる鉄板を設けた場所であればどこであってもも仏事用御本尊をホルダーごと安定した状態で収めることができるもので、携帯容器を持参する旅先での勤行の際であっても失礼にあたることなく、通常の勤行と同じ心境で御本尊を拝礼することができるものである。
【図面の簡単な説明】
【図１】本発明に係るホルダーの前傾斜視図である。
【図２】同ホルダーの一部省略断面図である。
【図３】御本尊を装着したホルダーを携帯容器に収める場合の斜視図である。
【図４】御本尊を装着したホルダーを仏壇に収める場合の斜視図である。
【図５】ホルダーの他の実施例を表わす図２と同じ部分の一部省略断面図である。
【符号の説明】
１          基板
２          止め板
３          保持部材
４          可動板
５          ピン
５１        ネジ
６          コイルスプリング
【図１】
2004181185.tif 000003
【図２】
2004181185.tif 000004
【図３】
2004181185.tif 000005
【図４】
2004181185.tif 000006
【図５】
2004181185.tif 000007
(57)【要約】【目的】屈曲性を保持しながら、体重・好みに応じてバネ性のあるクッションを交換可能として、広範囲の荷重変化・好みに対応できる構造を提供する。【構成】踵部分に内側から空洞▲６▼を設けて、シューズの中から踵部分の中底１を引き上げることにより空洞▲６▼に挿入されたバネ性のあるクッションを出し入れできるクッション交換可能構造である。【選択図】          図１
2004181182.tif 000002
【特許請求の範囲】
【請求項１】
靴底４の踵部分に内側から空洞６を設け、シューズの中から中底１を引き上げて空洞に挿入されたバネ製のクッションを出し入れできるクッション交換可能な構造。
【請求項２】
靴底４を厚くして請求項１の踵部分と同様に踏み付け部分範囲９にもクッション交換可能にしたシューズ。
【請求項３】
請求項１のクッションに体重、好みに応じてバネ定数を変えた板バネ。
【請求項４】
請求項３の替わりに樹脂製のゴムに置き換えたクッション。
【請求項５】
請求項３の替わりにエアークッションに置き換えたクッション。
【請求項６】
空洞６にクッションの替わりに比重の重い金属塊（重り）を挿入したトレーニングシューズ。
【請求項７】
従来の靴のみを販売するビジネスから、靴とパーツとしてのクッションを組み合わせて販売するビジネス、合わせてクッションをパーツとして別売りできるビジネス。
【発明の詳細な説明】
【００１】
【発明の属する技術分野】
本発明は体重、好みに応じてバネ性のあるクッションを交換可能としたウォーキングシューズに関する。
【００２】
【従来の技術】
従来はウォーキングシューズのクッション性を良くするために靴底と中底１の間に発泡合成樹脂材を使用したり、エアクッションを組み込んだりして、広い範囲の荷重変化に対応したウォーキングシューズが開発されている。
【００３】
【発明が解決しようとする課題】
従来のクッション性のあるシューズでは広い範囲の荷重変化に対応しているとはいえ、体重差によりクッション性の反応の違いが出てくる。
【００４】
体重が重い人の場合、荷重に対応してクッションが大きく収縮するが、クッションの復元に時間がかかり、履き心地が悪くなる。
【００５】
体重が軽い人の場合、クッションの収縮高さが重い人の場合と比べて小さいため、クッションの効き方が悪くなる
【００６】
本発明はこのような反応の違いを鑑み、体重・好みに応じてクッション作用をうまく組み合わせて、広い範囲の荷重変化・好みに対応できることを目的にしたウォーキングシューズである。
【００７】
【課題を解決するための手段】
本発明は踵部分に内側から空洞６を設けて、シューズの中から踵部分の中底１を引き上げることにより空洞６に挿入されたバネ性のあるクッションを出し入れできるクッション交換可能構造である。
【００８】
【発明実施の形態】
本発明の実施例を図面に基づいて説明する。図１はクッション２を装着した時の側面断面図、図２は中底１を引き上げてクッション２を取り出すときの側面断面図である。
【００９】
靴底４に空洞６を設けて、その空洞６に入る外形のクッション２を装着し、その上に比較的厚みがあり屈曲性のある中底１が取り付けてあり、中底１は範囲８の範囲のみ靴底４に接着してずれないようにして、中底１の踵部分はクッション２に密着する形状にしてある。
【０１０】
靴底４の範囲３の部分はＲ面にして、人の荷重で中底１が上下に屈曲する時に足の土踏まずへの当たりを滑らかにして違和感がないようにしてある。
【０１１】
図２は中底１を手で引き上げ、空洞６よりクッション２を交換するところである。
【０１２】
図３と図４は交換用クッションで、図３は金属あるいは樹脂、カーボンファイバー等の板バネで、図４は樹脂製のゴムによるクッションで、体重・好みに応じてバネ定数の異なるクッションを交換可能にして、広範囲の体重・好みに対応できる構造である。
【０１３】
【発明の効果】
本発明はクッション交換可能構造であるため以下の効果がある。
（イ）広範囲の体重に対してバネ定数の異なるクッションを提供できる。
（ロ）好みに応じて板バネ、クッションゴム、エアクッション等を選択できる。
（ハ）クッションではなく比重の大きい金属塊にすることによりトレーニングシューズになる。
（ニ）靴のみの販売だけでなく、様々なクッションの単体販売ができる。
（ホ）一つのシューズで様々な楽しみ方ができる。
（ヘ）中底１が上下に動くことによりシューズの中の空気が往復し、通気性が良くなる。
（ト）靴底４の靴底Ｒ面３部分で足の土踏まずを軽く刺激する構造にできるので健康靴になる。
本発明は、これらの効果をもたらすものである。
【図面の簡単な説明】
【図１】クッション２を装着したときの側面断面図である。
【図２】中底１を引き上げ、クッション２を取り出す時の側面断面図である。
【図３】板バネの見取り図である。
【図４】樹脂製クッションゴムの見取り図である。
【符号の説明】
１  中底
２  板バネ
３  靴底Ｒ面
４  靴底
５  シューズ本体
６  空洞
７  範囲７
８  範囲８
９  範囲９
【図１】
2004181182.tif 000003
【図２】
2004181182.tif 000004
【図３】
2004181182.tif 000005
【図４】
2004181182.tif 000006
(57)【要約】【課  題】リハビリ及びスポーツによる体のダメージの解消。骨格の歪み矯正する装置とする。【解決手段】腹筋台のように膝をかけて仰向けに寝られるベットで、足かけ部とベットが一体で且つ、足かけ部に独立可動させるモーター・カム・ギヤーを組み込みモーターボックスとして、ベット裏で足かけ側に取りつけモーター伝導軸で連結させる。ベットに取りつけた回転軸を支点にしてベットを垂直にした時、足かけ部が上で頭部側が下の逆ぶら下がりとなり、完全にクラックスした状態での足かけ部の左右スライド・半回転反復の連続運動が時間差で体の下に伝わり魚運動・ツイスト運動となる。その結果、骨格・筋肉のストレッチが同時に出来る。【選択図】  図１
2004181189.tif 000002
【特許請求の範囲】
【請求項１】
水平から垂直へ移行する為の回転軸（９）を設置したベット（８）、それを支える支柱（１０）・床安定台（１３）とベットと一体で且つ独立可動する足かけ部で膝かけ（５）足首おさえ（３）と、それを一体化させる連結軸（４）とモータ伝導軸（６）から成り、モータ類はスライド往復運動（１）及び半回転反復運動（２）させる駆動力を持ったモータ・カム・ギヤーをモータボックス（７）に収め、ベットの裏側で足かけ側に固定設置した自重整体整骨機。
【発明の詳細な説明】
【０００１】
【発明の属する技術分野】
生活習慣病である肩・首のコリ・腰痛・骨盤の歪みとスポーツ及びトレーニングによる身体へのダメージ解消の為の医療・整体・整骨・リハビリ等に効果を求める身体矯正装置に関するものである。
【０００２】
【従来の技術】
１  首・腰の牽引機は効果が少なく、副作用がある。
２  整体・整骨・理学療法は治療出来ない箇所が多く、成功率が少ない。
３  ストレッチ療法は、体が完全にリラックスした状態で出来ないので効果が少ない。
４  ぶら下がり健康器具は手・腕に負担がかかり過ぎるのと頸椎には全く効果がない。
５  足首固定の逆ぶら下がり器は足首にダメージが生じるのと静止状態だけなので効果が少ない。
【０００３】
【発明が解決しようとする課題】
足首固定式逆ぶら下がり器が従来の治療では最も優れているがその失点である足首のダメージ解消と静止状態より、より大きい効果を得る為ぶら下がった状態での膝から下の全身に左右の振りによる魚運動及び、ひねりをくり返すツイスト運動を生じさす課題。
【０００４】
【課題を解決するための手段】
１  足首よりも、より強靭な膝かけでぶら下がり、足が抜けて落下しないように垂直にぶら下がった状態で膝を９０°強で曲げ、足首おさえで固定される。
２  膝裏ふくらはぎと足首への負担軽減の為クッション材を組み込んだ膝かけ・足首おさえとする。
３  逆ぶら下がりでの魚運動及びツイスト運動を生じさす為、ベットと一体で且つ単独での可動性をもつ足かけ部とし、左右のスライドと半回転反復運動性の駆動力を持ったモータ・カム・ギアーをボックスに収めてベット裏側で足かけ部側に設置して、その駆動力を伝導軸で足かけ部へ伝える。
【０００５】
【発明の実施の形態】
１  ベットはその裏側に設置した回転軸（９）で水平から垂直まで９０°回転出来るように、軸受けを備えた支柱（１０）に接続、垂直位置ストッパー（１１）のついた床安定台（１３）に取りつける。足かけ部は膝かけ（５）足首おさえ（３）にクッション材を組み込み連結軸（４）で一体化させ、モータ伝導軸（６）で、ベット裏の足かけ側に設置したモータボックス（７）と接続して、ベットと一体であり且つ独立可動性を持つ。モータボックス（７）はスライド往復運動と半回転反復運動の出来るように組み合わせられたモータ・カム・ギアーを収納する。
２  ベット・足かけ部・モータ類は上記１と同一で、回転軸を用いずにベット頭部側先端にタイヤをつけ足かけ部をウインチで吊り上げベットを垂直移行させて、１と同じ性能を得られる。
【０００６】
【実施例】
１  図２の点線図で水平にしたベットの上り膝かけ（５）に膝をかけ、足首を足首おさえ（３）にかけ仰向けに寝て準備完了。
２  回転軸に組み込んでのモータ駆動か、介助者レバー（１２）で垂直へゆっくり移行させ、垂直になると背中はベットから離れてぶら下がりが完了する。
３  モータボックス（７）のスイッチを入れ、足かけ部のスライド往復運動（１）、足かけ部の半回転反復運動（２）で身体の振り・ひねりの連続運動もしくは静止ぶら下がりのいずれかを選択する。
４  ベットをゆっくり水平に戻して治療を完了する。
【０００７】
【発明の効果】
骨格と筋肉を完全にリラックスした状態で同時にストレッチするので理想的な治療効果が得られる。
１  腰椎・背椎・頸椎・骨盤の歪み矯正。
２  生活習慣病の肩・首のコリ・腰痛の解消。
３  リハビリからスポーツ・トレーニングのダメージ解消。
４  内蔵の活性化。
５  運動不足からの体の老化防止。
【図面の簡単な説明】
【図１】膝かけぶら下がりが完了した状態を示す前面からの平面図。
【図２】図１の側面図で点線図はベットを水平にして、垂直へ移行する前の準備位置を
示す。
【符号の説明】
１    足かけ部のスライド往復運動方向を示す
２    足かけ部の半回転反復方向を示す
３    足首おさえ
４    連結軸
５    膝かけ
６    モータ伝導軸
７    モータボックス
８    ベット
９    回転軸
１０  支柱
１１  垂直位置ストッパー
１２  介助者用レバー
１３  床安定台
１４  垂直への移行を示す矢印
１５  水平への移行を示す矢印
１６  爪先
【図１】
2004181189.tif 000003
【図２】
2004181189.tif 000004